(57)【要約】      （修正有）【課題】無線によるビデオ同期が再接続された場合であっても映像の乱れを軽減する。【解決手段】撮像装置は、同期信号を受信する手段と、入力された同期信号との位相差を読み取る手段と、撮像映像を記録中であるかを判別する手段と、撮像映像を外部出力しているかを判別する手段と、判別した結果によって同期方法を切り替える手段とを有する。前記切り替える同期手段のうち一つは、垂直ラインナンバーの書き換え手段であり、前記切り替える同期手段のうち一つは、垂直部ランキング期間におけるライン数の増減手段であり、前記撮像装置の動作状態を判別して適切な同期方法に切り替えて同期を行う。【選択図】図４
2018191190.tif 000002
【特許請求の範囲】
【請求項１】
撮像装置であって、
同期信号を受信する手段と、
入力された同期信号との位相差を読み取る手段と、
撮像映像を記録中であるかを判別する手段と、
撮像映像を外部出力しているかを判別する手段と、
判別した結果によって同期方法を切り替える手段と
を有し、
前記切り替える同期手段のうち一つは、垂直ラインナンバーの書き換え手段であり、
前記切り替える同期手段のうち一つは、垂直部ランキング期間におけるライン数の増減手段であり、
前記撮像装置の動作状態を判別して適切な同期方法に切り替えて同期を行うことを特徴とする撮像装置。
【発明の詳細な説明】
【技術分野】
【０００１】
本発明は、入力された同期信号に対してビデオ同期を行う撮像装置に関する。
【背景技術】
【０００２】
従来の撮像装置において、マスター機より入力されたビデオ同期信号に対してスレーブ機自身のビデオ同期信号の位相を合わせるためのビデオ同期機能を有するものがある（特許文献１）。
【０００３】
それらの撮像装置において、マスター機からの同期信号を入力された際にスレーブ機はビデオ同期を行うため、水平同期信号のラインナンバー書き換え動作により内部記録映像および外部映像出力が乱れていた。
【０００４】
そして、ビデオ同期機能を有する撮像装置において、マスター機からスレーブ機への同期信号の受け渡しにＺｉｇＢｅｅ等の無線手段を用いるものがある。それらの撮像装置を用いることにより、同期信号の接続ケーブルの準備や、撮像装置とケーブルの配置に苦慮することなくビデオ同期機能を用いた撮像を手軽に行うことが可能である。
【先行技術文献】
【特許文献】
【０００５】
【特許文献１】特開平７−８７３７３号公報
【発明の概要】
【発明が解決しようとする課題】
【０００６】
しかし、上記従来例の撮像装置において無線による同期信号の受け渡しを行うため、障害物や一時的な妨害波による無線環境の変化によって同期信号の受け渡しが一時的に切断されることがあるために、以下のような課題があった。
【０００７】
マスター機からの無線による同期信号がスレーブ機にて再度受信可能となった時に、スレーブ機においてビデオ同期を行うために水平同期信号のラインナンバー書き換え動作が行われる。そのため、スレーブ機が撮像中であった場合には同期信号の乱れた映像が記録されてしまう。
【０００８】
また、スレーブ機から外部映像出力を行っていた場合には同期信号の乱れた映像が出力されてしまう。外部映像出力がテレビモニタに接続されている場合は一時的な映像乱れとなり、外部映像出力を外部レコーダ等の記録装置にて記録している場合には同期信号の乱れた映像が記録されてしまう。
【０００９】
そこで、本発明は、無線によるビデオ同期が再接続された場合であっても映像の乱れを軽減できるようにすることを目的とする。
【課題を解決するための手段】
【００１０】
上記の目的を達成するために、本発明に係る撮像装置は、
撮像装置であって、同期信号を受信する手段と、入力された同期信号との位相差を読み取る手段と、撮像映像を記録中であるかを判別する手段と、撮像映像を外部出力しているかを判別する手段と、判別した結果によって同期方法を切り替える手段とを有し、前記切り替える同期手段のうち一つは、垂直ラインナンバーの書き換え手段であり、前記切り替える同期手段のうち一つは、垂直部ランキング期間におけるライン数の増減手段であり、前記撮像装置の動作状態を判別して適切な同期方法に切り替えて同期を行うことを特徴とする。
【発明の効果】
【００１１】
本発明に係る撮像装置によれば、無線によるビデオ同期が再接続された場合であっても映像の乱れを軽減することができる。
【図面の簡単な説明】
【００１２】
【図１】本発明の実施形態における撮像装置１００の構成の一例を説明するためのブロック図である。
【図２】第１の実施形態における同期回路におけるブロック図の例である。
【図３】第１の実施形態における構成の図例である。
【図４】第１の実施形態における動作フローチャートである。
【図５】第１の実施形態における動作説明図である。
【図６】第１の実施形態における動作説明図である。
【図７】第１の実施形態における動作説明図である。
【発明を実施するための形態】
【００１３】
以下、図面を参照して本発明の実施形態を説明する。ただし、本発明は以下の実施形態に限定されるものではない。
【００１４】
［第１の実施形態］
図１は、本実施形態における撮像装置１００の構成の一例を説明するためのブロック図である。
【００１５】
撮像装置１００は、被写体の映像を取り込むレンズユニット１０１と、レンズユニット１０１から得られた光をアナログ信号へ変換するセンサ１０２と、センサ１０２から出力されるアナログ信号をデジタル化するＡ／Ｄコンバータ１０３と、Ａ／Ｄコンバータ１０３から出力されたデジタル信号を処理し記録および再生等を行なうカメラ信号記録再生回路１０４と、撮像された映像を記録および再生される記録媒体１０５と、ユーザからの操作を受け付ける操作入力部１０６とを有する。
【００１６】
撮像装置１００はさらに、撮像装置１００の全ての構成要素に命令を出す制御部１０７と、入出力される映像および音声信号の処理を行うビデオ信号処理システムＩＣ１０８と、クロック周波数制御用ＰＷＭ（Ｐｕｌｓｅ  Ｗｉｄｔｈ  Ｍｏｄｕｌａｔｉｏｎ）を平滑化するフィルタ回路１０９と、フィルタ回路１０９からの信号に基づきクロックを出力するクロック可変機構１１０と、ビデオ信号処理システムＩＣ１０８からの映像信号を外部へ接続する映像出力端子１１１と、ビデオ信号処理システムＩＣ１０８と同期信号のやり取りを行う無線通信ユニット１１２と、ユーザに対して情報の表示を行う表示部１１３と、撮像装置１００の全ての構成要素に電力を供給する電源部１１４とを有する。
【００１７】
この撮像装置１００における、撮像から同期信号のやりとりを行うまでの流れを説明する。レンズユニット１０１は撮像対象からの光を集束させてセンサ１０２へと導く役割を持っている。また、特に図示しないがレンズユニット１０１は制御部１０７からの信号により撮像風景の範囲を決めるズームレンズと、撮像対象への焦点調整を行なうフォーカスレンズと、映像の輝度を調整するアイリス機構等を有する。
【００１８】
センサ１０２は制御部１０７からの信号に従い撮像し、レンズユニット１０１からの光をアナログ信号に変換しＡ／Ｄコンバータ１０３へ出力する。Ａ／Ｄコンバータ１０３はセンサ１０２からのアナログ信号をデジタル信号へと変換してカメラ信号記録再生回路１０４へ出力する。
【００１９】
カメラ信号記録再生回路１０４はＡ／Ｄコンバータ１０３からのデジタル信号を受けて映像として記録媒体１０５へと記録したり、記録媒体１０５に記録された映像を再生したり、ビデオ信号処理システムＩＣ１０８に対して映像信号を出力したりする役割を持っている。記録媒体１０５は半導体メモリや磁気記録のＨＤＤ（ハードディスクドライブ）などがそれに相当し、撮像装置１００によって撮像された映像を記録されたり、撮像した映像を再生する際に読み出される役割を持っている。
【００２０】
操作入力部１０６はユーザが直接操作できる部分で、ボタンスイッチや切り替えスイッチなどのインターフェース部である。ユーザが操作入力部１０６を操作することを制御部１０７が読み取って各デバイスを制御する。撮像動作の開始や停止といった動作モードの切り替え等はユーザが操作入力部１０６を操作することで制御部１０７に信号が送られて制御部１０７が各デバイスを制御する。
【００２１】
制御部１０７はＣＰＵ（Ｃｅｎｔｒａｌ  Ｐｒｏｃｅｓｓｉｎｇ  Ｕｎｉｔ）をもったマイクロコンピュータで撮像装置１００の制御装置として機能する。制御部１０７はユーザの操作を各デバイスに送るだけでなく、動作モードやユーザの操作に応じたシステムの制御も行う。
【００２２】
また、カメラ信号記録再生回路１０４が記録媒体１０５へ映像を記録中であるか判別しビデオ信号処理システムＩＣ１０８へ通信を行い通知する。ビデオ信号処理システムＩＣ１０８はカメラ信号記録再生回路１０４から出力された映像信号を制御部１０７からの制御によって処理し、映像出力端子１１１へ出力する。また、無線通信ユニット１１２と通信を行い同期信号の比較を行い、その結果からフィルタ回路１０９へ信号を出力する。
【００２３】
フィルタ回路１０９はビデオ信号処理システムＩＣ１０８からの信号を平滑化してクロック可変機構１１０へ入力する。クロック可変機構１１０はフィルタ回路１０９からの信号に従い周波数を調整したクロック信号をビデオ信号処理システムＩＣ１０８へと出力する。
【００２４】
映像出力端子１１１は接続された外部の表示機器や録画機器等に対してビデオ信号処理システムＩＣ１０８から出力された映像信号を出力する。無線通信ユニット１１２はビデオ信号処理システムＩＣ１０８からの通信により無線通信手段を経由して同期信号のやり取りを行い、受信した同期信号はビデオ信号処理システムＩＣ１０８にて比較される。表示部１１３は制御部１０７からの制御により、ユーザへ対して必要な情報の表示を行う。電源部１１４は制御部１０７からの信号により撮像装置１００の各ブロックへ電力供給を行う。
【００２５】
図２は、本実施形態における同期回路ブロック図例である。
【００２６】
図２の構成として、同期動作を行う回路は以下を含む。図１におけるビデオ信号処理システムＩＣ１０８であり、映像信号の処理を行い、同期回路の多くの機能を含むビデオ信号処理システムＩＣ２００である。および、ビデオ同期動作の制御を行うマイコン２０１、図１におけるクロック可変機構１１０であり、ビデオ信号処理システムＩＣ２００に対してクロック信号を出力するクロック可変機構２０２を備える。および、図１におけるフィルタ回路１０９であり、クロック可変機構２０２へ周波数を調整する信号を出力するフィルタ回路２０３を備える。
【００２７】
および、クロック可変機構２０２からのクロック信号を受けてマイコン２０１およびピクセルカウンタ２０５へクロック信号を出力するＰＬＬ回路２０４を備える。および、ＰＬＬ回路２０４からのクロック信号を受けて水平同期信号を生成するピクセルカウンタ２０５、ピクセルカウンタ２０５からの信号を受けて垂直同期信号を生成するラインカウンタ２０６を備える。および、ピクセルカウンタ２０５とラインカウンタ２０６からの信号を受けて同期信号を生成する同期信号生成回路２０７、同期信号生成回路２０７からの同期信号と外部から入力された同期信号を位相比較する同期信号比較回路２０８等を有する。
【００２８】
この構成における同期動作を行う際の流れを説明する。
【００２９】
ビデオ信号処理システムＩＣ２００においてマイコン２０１は、記録媒体１０５へ映像を記録中であるかを制御部１０７から情報により判別する。また、映像出力端子１１１へ映像信号を出力しているかの判別結果によって以下の同期動作を切り替える。マイコン２０１は同期信号比較回路２０８から得た同期位相差データからフィルタ回路２０３に対してＰＷＭによる制御信号を出力する同期動作を行う。また同様に、同期位相差データからラインカウンタ２０６に対してラインナンバーの書き換えも行ったり、ラインカウンタ２０６の垂直同期期間内においてラインナンバーの書き換えによる同期動作も行う。
【００３０】
クロック可変機構２０２は、マイコン２０１から出力された制御信号がフィルタ回路２０３によって平滑化された信号によって周波数を可変してビデオ信号処理システムＩＣ２００へクロック信号を出力する。ビデオ信号処理システムＩＣ２００へ入力されたクロック信号は、ＰＬＬ回路２０４へ入力される。ＰＬＬ回路２０４では入力されたクロック信号を逓倍し、マイコン２０１へマイコンクロック信号を生成して出力し、ピクセルカウンタ２０５へピクセルクロック信号を生成して出力する。
【００３１】
ピクセルカウンタ２０５では、マイコン２０１から設定された映像フォーマットおよび、入力されたピクセルクロック信号より水平同期信号を生成してラインカウンタ２０６および同期信号生成回路２０７へ出力する。ラインカウンタ２０６では、マイコン２０１から設定された映像フォーマットおよび、入力された水平同期出力より垂直同期信号を生成して同期信号生成回路２０７へ出力する。
【００３２】
同期信号生成回路２０７においては、ピクセルカウンタ２０５から入力された水平同期信号およびラインカウンタ２０６から入力された垂直同期信号から同期信号を生成し、同期信号比較回路２０８および無線通信ユニット１１２へ出力する。同期信号比較回路２０８においては、同期信号生成回路２０７から入力されたビデオ信号処理システムＩＣ２００で使用している同期信号と無線通信ユニット１１２より入力された同期信号を比較する。比較した結果として、同期位相差データはマイコン２０１へ出力される。これらの構成により外部から入力された同期信号に対して同期動作を行うことができる。
【００３３】
図３は、本実施形態における構成の図例であり、構成として以下を含む。
【００３４】
同期動作を行う際の基準となるマスター機である撮像装置３００、同期信号を無線にて送信する無線通信ユニット３０１、マスター機である撮像装置３００から同期信号を受けて同期を行うスレーブ機１である撮像装置３０２、同期信号を無線にて受信する無線通信ユニット３０３。および、スレーブ機１である撮像装置３０２から出力された映像を映すテレビモニタ３０４、マスター機である撮像装置３００から同期信号を受けて同期を行うスレーブ機２である撮像装置３０５。および、同期信号を無線にて受信する無線通信ユニット３０６等を有する。
【００３５】
この構成における同期動作を行う際の概要を説明する。マスター機である撮像装置３００において、ユーザは操作入力部１０６より同期動作のマスター機として設定する。マスター機として設定されたマスター機である撮像装置３００は、無線通信ユニット３０１より無線にて同期信号の送信を行う。無線にて送信された同期信号は無線通信ユニット３０３および無線通信ユニット３０６にて受信される。受信された同期信号はスレーブ機１である撮像装置３０２およびスレーブ機２である撮像装置３０５における同期信号比較回路２０８にて同期位相差データとして同期動作に用いられる。
【００３６】
また、スレーブ機１である撮像装置３０２においては、テレビモニタ３０４が接続されていることから映像出力端子１１１より映像信号が出力されている。この事により、スレーブ機１である撮像装置３０２においては、同期動作が切り替わる。スレーブ機２である撮像装置３０５においては、映像を記録中である場合には同期動作が切り替わる。
【００３７】
図４は、本実施形態における動作を説明するフローチャートであり、以下のステップで構成される。以下のステップは、同期動作を行うスレーブ機１である撮像装置３０２もしくはスレーブ機２である撮像装置３０５におけるマイコン２０１において実行される。
【００３８】
ステップＳ４００では、同期信号比較回路２０８からの同期位相差データとしてマスター機からの同期信号が入力されたかを検出して分岐する。マスター機から同期信号が入力された場合、処理はステップＳ４０１へ進む。そうでない場合、処理はステップＳ４００へ進む。ステップＳ４０１では、映像出力端子１１１から映像信号を出力しているかによって分岐する。
【００３９】
映像信号を出力している場合、処理はステップＳ４０９へ進む。そうでない場合、処理はステップＳ４０２へ進む。ステップＳ４０２では映像信号を記録媒体１０５へ記録中であるかによって分岐する。映像信号を記録中である場合、処理はステップＳ４０６へ進む。そうでない場合、処理はステップＳ４０３へ進む。ステップＳ４０３では、同期信号比較回路２０８から読み取った同期位相差データをもとにラインカウンタ２０６に対してラインナンバーの書き換えを行う。
【００４０】
これにより同期信号生成回路２０７から出力される同期信号はマスター機からの同期信号に対して同一水平同期期間内まで近付く事ができる。ステップＳ４０４では、同期信号比較回路２０８から読み取った同期位相差データをもとにフィルタ回路２０３を通じてクロック可変機構２０２にてクロック周波数の制御を行う。これにより同期信号生成回路２０７から出力される同期信号はマスター機からの同期信号に対して同期合わせを完了する事ができる。ステップＳ４０５では、同期信号比較回路２０８からの同期位相差データがゼロとなり、同期合わせが完了したかどうかを判断して分岐する。
【００４１】
同期合わせが完了した場合、処理は終了する。そうでない場合、処理はステップＳ４０４へ進む。ステップＳ４０６では、同期信号比較回路２０８から読み取った同期位相差データとラインカウンタ２０６から読み取ったラインナンバーからラインカウンタ２０６に対して垂直同期期間内のみラインナンバー書き換えを行う。
【００４２】
ステップＳ４０７では、同期信号比較回路２０８から読み取った同期位相差データをもとにフィルタ回路２０３を通じてクロック可変機構２０２にてクロック周波数の制御を行う。これにより、同期信号生成回路２０７から出力される同期信号はマスター機からの同期信号に対して同期合わせを完了する事ができる。ステップＳ４０８では、同期信号比較回路２０８からの同期位相差データがゼロとなり、同期合わせが完了したかどうかを判断して分岐する。
【００４３】
同期合わせが完了した場合、処理は終了する。そうでない場合、処理はステップＳ４０７へ進む。ステップＳ４０９では、同期信号比較回路２０８から読み取った同期位相差データをもとにフィルタ回路２０３を通じてクロック可変機構２０２にてクロック周波数の制御を行う。これにより、同期信号生成回路２０７から出力される同期信号はマスター機からの同期信号に対して同期合わせを完了する事ができる。ステップＳ４１０では、同期信号比較回路２０８からの同期位相差データがゼロとなり、同期合わせが完了したかどうかを判断して分岐する。同期合わせが完了した場合、処理は終了する。そうでない場合、処理はステップＳ４０９へ進む。
【００４４】
図５は、本実施形態における動作を説明する図であり、下記の波形で構成される。
【００４５】
ラインナンバー書き換えを行う前段階であるラインナンバー書き換えを用いた同期手段における波形５００、ラインナンバー書き換え後のクロック可変機構を用いた同期手段における波形５０１、クロック可変機構による同期合わせが完了した同期合わせ完了波形５０２である。
【００４６】
および、ラインナンバー書き換えを用いた同期手段における波形５００における基準となる同期信号であるマスター機同期信号５０３およびビデオ同期を行うスレーブ機同期信号５０４である。および、クロック可変機構を用いた同期手段における波形５０１における基準となる同期信号であるマスター機同期信号５０５およびビデオ同期を行うスレーブ機同期信号５０６である。および、同期合わせ完了波形５０２における基準となる同期信号であるマスター機同期信号５０７およびビデオ同期を行うスレーブ機同期信号５０８で構成される。
【００４７】
この構成において、図４におけるステップＳ４０３とステップＳ４０４およびステップＳ４０５での同期動作を波形を用いて説明する。ラインナンバー書き換えを用いた同期手段における波形５００においてスレーブ機同期信号５０４は垂直同期信号および水平同期信号ともにマスター機同期信号５０３とビデオ同期が行われていない。ここでステップＳ４０３にてラインナンバー書き換えを実行し、マスター機同期信号５０３のラインＮｏ．１の位置にあるスレーブ機同期信号５０４のラインＮｏ．２２がラインＮｏ．１に書き換える。これによりスレーブ機同期信号５０４の垂直同期信号がマスター機同期信号５０３と同一水平同期期間内に収まる。
【００４８】
クロック可変機構を用いた同期手段における波形５０１においてはスレーブ機同期信号５０６は水平同期信号がマスター機同期信号５０５とビデオ同期が行われていない。ここでステップＳ４０４にてクロック可変機構によってスレーブ機同期信号５０６がマスター機同期信号５０５より遅れている場合はクロック周波数を高くなるよう制御することにより、マスター機同期信号５０５とスレーブ機同期信号５０６の位相を一致させる事ができる。
【００４９】
同期合わせ完了波形５０２においてはスレーブ機同期信号５０８とマスター機同期信号５０７の位相が一致している。ここでステップＳ４０５にてビデオ同期合わせが完了したか判断を行う。
【００５０】
図６は、本実施形態における動作を説明する図であり、以下の波形で構成される。
【００５１】
垂直同期期間内におけるラインナンバー書き換えを行う前段階である垂直同期期間のライン追加削除を用いた同期手段における波形６００、垂直同期期間内におけるラインナンバー書き換え後の垂直同期期間のライン削除を行った際の波形６０１を備える。および、垂直同期期間内におけるラインナンバー書き換え後にラインＮｏ．１が来たときのクロック可変機構を用いた同期手段における波形６０２、クロック可変機構による同期合わせが完了した同期合わせ完了波形６０３を備える。
【００５２】
および、垂直同期期間のライン追加削除を用いた同期手段における波形６００における基準となる同期信号であるマスター機同期信号６０４およびビデオ同期を行うスレーブ機同期信号６０５を備える。および、垂直同期期間のライン削除を行った際の波形６０１における基準となる同期信号であるマスター機同期信号６０６およびビデオ同期を行うスレーブ機同期信号６０７を備える。
【００５３】
および、クロック可変機構を用いた同期手段における波形６０２における基準となる同期信号であるマスター機同期信号６０８およびビデオ同期を行うスレーブ機同期信号６０９を備える。および、同期合わせ完了波形６０３における基準となる同期信号であるマスター機同期信号６１０およびビデオ同期を行うスレーブ機同期信号６１１で構成される。
【００５４】
この構成において図４におけるステップＳ４０６とステップＳ４０７およびステップＳ４０８での同期動作を波形を用いて説明する。
【００５５】
垂直同期期間のライン追加削除を用いた同期手段における波形６００において、スレーブ機同期信号６０５は垂直同期信号および水平同期信号ともにマスター機同期信号６０４とビデオ同期が行われていない。ここで、ステップＳ４０６にて垂直同期期間内にてラインナンバー書き換えを実行し、スレーブ機同期信号６０５の垂直同期期間内のラインＮｏ．１１をラインＮｏ．２１へ書き換える。
【００５６】
垂直同期期間のライン削除を行った際の波形６０１においては、垂直同期期間のライン追加削除を用いた同期手段における波形６００にてラインナンバー書き換えを行った事により、マスター機同期信号６０６のラインＮｏ．２１とスレーブ機同期信号６０７のラインＮｏ．２１が同一水平同期期間内に収まる。これにより、次にマスター機同期信号６０６のラインＮｏ．１においては、スレーブ機同期信号６０７のラインＮｏ．１が同一水平同期期間内に収まっている。
【００５７】
クロック可変機構を用いた同期手段における波形６０２においては、スレーブ機同期信号６０９は水平同期信号がマスター機同期信号６０８とビデオ同期が行われていない。ここで、ステップＳ４０７にてクロック可変機構によってスレーブ機同期信号６０９がマスター機同期信号６０８より遅れている場合は、クロック周波数を高くなるよう制御する事により、マスター機同期信号６０８とスレーブ機同期信号６０９の位相を一致させる事ができる。
【００５８】
同期合わせ完了波形６０３においては、スレーブ機同期信号６１１とマスター機同期信号６１０の位相が一致している。ここで、ステップＳ４０８にてビデオ同期合わせが完了したか判断を行う。
【００５９】
図７は、本実施形態における動作を説明する図であり、以下の波形で構成される。
【００６０】
クロック可変機構による同期合わせを行う前段階であるクロック可変機構を用いた同期手段における波形７００、クロック可変機構による同期合わせが完了した同期合わせ完了波形７０１を備える。および、クロック可変機構を用いた同期手段における波形７００における基準となる同期信号であるマスター機同期信号７０２およびビデオ同期を行うスレーブ機同期信号７０３を備える。
【００６１】
また、同期合わせ完了波形７０１における基準となる同期信号であるマスター機同期信号７０４およびビデオ同期を行うスレーブ機同期信号７０５でも構成される。
【００６２】
この構成に置いて、図４におけるステップＳ４０９およびステップＳ４１０での同期動作を波形を用いて説明する。クロック可変機構を用いた同期手段における波形７００において、スレーブ機同期信号７０３は垂直同期信号および水平同期信号ともにマスター機同期信号７０２とビデオ同期が行われていない。
【００６３】
ここで、ステップＳ４０９にてクロック可変機構によってスレーブ機同期信号７０３がマスター機同期信号７０２より遅れている場合はクロック周波数を高くなるよう制御する事により、マスター機同期信号７０２とスレーブ機同期信号７０３の位相を一致させる事ができる。同期合わせ完了波形７０１においては、スレーブ機同期信号７０５とマスター機同期信号７０４の位相が一致している。ここで、ステップＳ４１０にてビデオ同期合わせが完了したか判断を行う。
【００６４】
撮像装置１００の動作状態により同期方法を切り替え、切り替えた同期方法に基づきビデオ同期させることにより、無線によるビデオ同期を検出した場合や、無線によるビデオ同期が切断された後に再接続された場合においても映像の乱れを防ぐ。それによって、ユーザに便利で安心して撮像できる撮像装置を提供することができる。
【００６５】
なお、本発明の実施形態は上述の実施形態に限られるものではない。上述の実施形態は、発明の要旨を逸脱しない範囲であれば様々な修正又は変形を加えることができる。
【符号の説明】
【００６６】
１００  撮像装置、１０１  レンズユニット、１０２  センサ、
１０３  Ａ／Ｄコンバータ、１０４  カメラ信号記録再生回路、
１０５  記録媒体、１０６  操作入力部、１０７  制御部、
１０８  ビデオ信号処理システムＩＣ、１０９  フィルタ回路、
１１０  クロック可変機構、１１１  映像出力端子、１１２  無線通信ユニット、
１１３  表示部、１１４  電源部
【図１】
2018191190.tif 000003
【図２】
2018191190.tif 000004
【図３】
2018191190.tif 000005
【図４】
2018191190.tif 000006
【図５】
2018191190.tif 000007
【図６】
2018191190.tif 000008
【図７】
2018191190.tif 000009